(57)【要約】      （修正有）【課題】切削性の向上を図る硬質構造物のダイヤモンドコアビットによる穿孔時に必要最小限の冷却水を供給する水溶液供給装置を提供する。【解決手段】ダイヤモンドコアビットのコアシャンクの外面に当接してこれを保持する通気性柔軟性保持部材であるスポンジ７と、該通気性柔軟性保持部材に隣接して配設される水溶液タンク８と、該水溶液タンクと前記通気性柔軟性保持部材との間に介設され前記水溶液タンク内の水溶液１４を前記通気性柔軟性保持部材側に染み出し送りする染み出し送り部材９とを設ける。これにより、ダイヤモンドコアビットの外面には少量の水溶液１４が染み出して冷却水となる。冷却水の供給が必要最小限の量に制限されるので、漏水による漏電や停電の可能性を減ずることが出来る。【選択図】図４
0003163951.tif 000002
【実用新案登録請求の範囲】
【請求項１】
コンクリート構造物のような硬質構造物の穿孔用の装置であって、該装置は、ダイヤモンドコアビットのコアシャンクの外面に当接してこれを保持する通気性柔軟性保持部材と、該通気性柔軟性保持部材に隣接して配設される水溶液タンクと、該水溶液タンクと前記通気性柔軟性保持部材との間に介設され前記水溶液タンク内の水溶液を前記通気性柔軟性保持部材側に染み出し送りする染み出し送り部材とを有することを特徴とする硬質構造物穿孔用の水溶液供給装置。
【請求項２】
前記通気性柔軟性保持部材がスポンジからなり、該スポンジの前記コアシャンクと当接する部位にはＶ溝が形成され、該Ｖ溝の底部には前記コアシャンクが磁着するマグネットが収納されることを特徴とする請求項１に記載の硬質構造物穿孔用の水溶液供給装置。
【請求項３】
前記染み出し送り部材が、脱脂綿状のフエルトからなることを特徴とする請求項１に記載の硬質構造物穿孔用の水溶液供給装置。
【請求項４】
前記水溶液供給装置には、該装置をコアシャンクに当接する保持位置とこれから離脱する位置とに移動させる移動手段が設けられることを特徴とする請求項１に記載の硬質構造物穿孔用の水溶液供給装置。
【考案の詳細な説明】
【技術分野】
【０００１】
本考案は、コンクリート構造物のような硬質構造物を筒状のダイヤモンドコアビットによる穿孔に使用される水溶液供給装置に関する。
【背景技術】
【０００２】
ダイヤモンドコアビットを用いて例えばコンクリート構造物を穿孔する方法としては数多くの公知技術がある。その１つとして例えば「特許文献１」が挙げられる。
【先行技術文献】
【特許文献】
【０００３】
【特許文献１】特開平７−２８５１２３号（図１）
【考案の概要】
【考案が解決しようとする課題】
【０００４】
「特許文献１」の「特開平７−２８５１２３号」の「コンクリート建造物体の穿孔方法」はコンクリート構造物体（３）にダイヤモンドコアビット（５）を垂直方法から押圧して穿孔を行う際に供給タンク（８）から水溶液をダイヤモンドコアビット（５）側に多量に供給して穿孔を行う通常の穿孔方法を示す考案であり、この考案の目的としては穿孔部よりの冷却水の流出を防止するものである。前記のようにこの公知技術には比較的多量の水溶液が使用されている。また、公知技術ではないが、前記のように通常のコンクリート構造物の穿孔にはかなり多量の水溶液が供給された状態で穿孔が行われている。
【０００５】
水溶液を多量に供給しながらダイヤモンドコアビットにより穿孔を行う場合にはダイヤモンドコアビットの切削チップの摩擦熱の上昇を低下されるメリットがあるが、一方、例えば鉄筋コンクリート構造物の場合鉄筋コンクリート構造体自体に埋設されている電線管等を誤って切断すると漏れ水による漏電や停電等の事故が発生し易い問題点がある。一方、ダイヤモンドコアビットによる穿孔にはそれ程多量の水溶液の供給は必要ではなく、少量の水溶液の効果的な供給で十分な穿孔ができることが知られている。
【０００６】
本考案は、以上の事情に鑑みて考案されたものであり、少量の水溶液をダイヤモンドコアビットの水冷却部の必要の部位に確実に供給でき、漏れ水等による事故を防止でき、ダイヤモンドコアビットの摩擦熱の上昇を抑えて効率的の穿孔が可能となる硬質構造物の穿孔に使用される水溶液供給装置を提供することを目的とする。
【課題を解決するための手段】
【０００７】
本考案は、以上の目的を達成するために、請求項１の考案は、ダイヤモンドコアビットによる切削部位に少量の水溶液を供給する水溶液供給装置であって、該装置は、前記ダイヤモンドコアビットのコアシャンクの外面に当接してこれを保持する通気性柔軟性保持部材と、該通気性柔軟性保持部材に隣接して配設される水溶液タンクと、該水溶液タンクと前記通気性柔軟性保持部材との間に介設され前記水溶液タンク内の水溶液を前記通気性柔軟性保持部材側に染み出し送りする染み出し送り部材とを有することを特徴とする。
【０００８】
また、請求項２の考案は、前記通気性柔軟性保持部材がスポンジからなり、該スポンジの前記コアシャンクと当接する部位にはＶ溝が形成され、該Ｖ溝の底部には前記コアシャンクが磁着するマグネットが収納されることを特徴とする。
【０００９】
また、請求項３の考案は、前記染み出し送り部材が、脱脂綿状のフエルトからなることを特徴とする。
【００１０】
また、請求項４の考案は、前記水溶液供給装置には、該装置をコアシャンクに当接する保持位置とこれから離脱する位置とに移動させる移動手段が設けられることを特徴とする。
【考案の効果】
【００１１】
また、本考案の請求項１の水溶液供給装置によれば、水溶液タンクからの水溶液は染み出し送り部材によって少量だけ通気性柔軟性保持部材側に送られ、更に通気性柔軟性保持部材の通気部を介してダイヤモンドコアビット側に送られ、結果として少量の水溶液が冷却を必要とするダイヤモンドコアビットの穿孔部分に効果的に供給されることになる。
【００１２】
また、本考案の請求項２の水溶液供給装置によれば、通気性柔軟性保持部材がスポンジ体からなり、柔軟性のものから形成され、更に開口部の大きさが変化できるＶ溝が設けられ各種のサイズのダイヤモンドコアビットを確実に保持することができると共に、磁性体の使用により所定位置に確実に保持される効果が上げられる。
【００１３】
また、本考案の請求項３の水溶液供給装置によれば、水溶液タンクからの水溶液は脱脂綿状のフエルトを介してスポンジ体側に供給されるため、少量の水溶液が確実にダイヤモンドコアビットのコアシャンク側に送られることになる。
【００１４】
また、本考案の請求項４の水溶液供給装置によれば、この装置全体が不使用時にダイヤモンドコアビットから離れた位置に保持されるため邪魔にならず穿孔前の段取り等の作業が容易に行われることになる。
【図面の簡単な説明】
【００１５】
【図１】本考案の水溶液供給装置を有するコンクリート構造物等を穿孔する穿孔具の全体構造を示す側面図。
【図２】図１における本考案の主要要素である水溶液供給装置やダイヤモンドコアビット等を示す断面図。
【図３】図２の模式的詳細構造を示す断面図。
【図４】本考案の水溶液供給装置の全体構造を示す側断面図。
【図５】図４主要部のみを示す上面図。
【図６】水溶液供給装置による小径のダイヤモンドコアビットを保持形態を示す部分的上面図。
【図７】水溶液供給装置による大径のダイヤモンドコアビットの保持形態を示す部分的上面図。
【図８】不使用時における水溶液供給装置の移動方法を説明するための模式的上面図。
【考案を実施するための形態】
【００１６】
以下、本考案の硬質構造物の穿孔に使用される水溶液供給装置の実施の形態を図面を参照して詳述する。
【実施例】
【００１７】
まず、図１により本考案の水溶液供給装置１を有する穿孔装置１００の概要全体構造を説明する。
被穿孔物であるコンクリート構造物３上には案内柱４が立設して載置される。案内柱４には回転駆動体５が上下動可能に支持される。回転駆動体５の下端側にはダイヤモンドコアビット２が垂下支持される。このダイヤモンドコアビット２の下端にはコンクリート構造物３を穿孔するための切削チップ２ａ（図２に示す）が設けられている。
【００１８】
本考案の主要素である水溶液供給装置１はコンクリート構造物３上に搭載されダイヤモンドコアビット２の外面に当接して配置される。また、図１には水溶液供給装置１の全体を移動させる移動手段６が配設されている（この移動手段６の説明は後に図８により説明する）。
【００１９】
図３は水溶液供給装置１の概要構造とこの水溶液供給装置１がダイヤモンドコアビット２に当接して保持する様子を示す。
【００２０】
図４及び図５に示すように、水溶液供給装置１は箱体１０内に収納されている柔軟性保持部材であるスポンジ７と水溶液タンク８とスポンジ７と水溶液タンク８間に介設される染み出し送り部材９等とからなる。なお、箱体１０には調整ボルト１１や支持軸１２や水溶液１４を注入するための投水口１３等が設けられている。
【００２１】
スポンジ７は箱体１０内に大部分が収納されているが開放側は箱体１０からはみ出た位置に配置され、Ｖ溝１５を形成する。また、Ｖ溝１５の底部にはマグネット１６が配置され、マグネット１６は前記の調整ボルト１１により進入位置を調整できるように形成されている。なお、マグネット１６には図３に示すようにマグネット１６を押し出す方向に付勢するスプリング１７が設けられている。なお、Ｖ溝１５は図示のように一対の相対向するスポンジ片７ａ，７ａによって形成され、このＶ溝１５内には後に説明するダイヤモンドコアビット２が挿入されて保持されるように形成される。
【００２２】
染み出し送り部材９は図４に示すように仕切板９ａとフエルト９ｂからなり、両者によりスポンジ７と水溶液タンク８とは区切られるが、図示のようにフエルト９ｂの上部は仕切板９ａを通り抜けて直接スポンジ７の端面に当接するように配置される。
以上の構造により水溶液タンク８内の水溶液１４はフエルト９ｂを介してスポンジ７側に送られるため、結果として少量の水溶液１４がスポンジ７側に送られることになる。
【００２３】
図６及び図７は水溶液供給装置１のスポンジ７がダイヤモンドコアビット２を保持している状態を示す。Ｖ溝１５の開口部の変形とマグネット１６により寸法の異なるダイヤモンドコアビット２を安定保持することができる。
【００２４】
次に、本考案の水溶液供給装置による硬質構造物の穿孔方法について説明する。
図６及び図７に示したようにダイヤモンドコアビット２を位置決めした後、水溶液供給装置１のスポンジ７をダイヤモンドコアビット２に押し当る。図６，図７に示すようにダイヤモンドコアビット２はスポンジ７のスポンジ７ａにより挟持されると共にマグネット１６がダイヤモンドコアビット２に磁着し、ダイヤモンドコアビット２の保持と水溶液供給装置１の位置決めが出来る。
次に、水溶液タンク８内に水溶液１４を入れることにより染み出し送り部材９のフエルト９ｂに水溶液が染み込み、ここから染み出た水溶液１４がスポンジ７内に送られ、スポンジ７の通気部を通って少量の水溶液１４がダイヤモンドコアビット２の外面に付着し、自重によって下方に送られる。下方に送られた水溶液１４はダイヤモンドコアビット２の切削チップ２ａ側に供給され穿孔部の熱の吸収を行う。水溶液１４の供給量が少量のため、切削部位においては適度の冷却剤として水溶液が作用し、摩擦熱の低減もでき、結果として良好な穿孔を行うことができる。
【００２５】
図１乃至図７は水溶液供給装置１が使用されている状態を示すものであるが、水溶液供給装置１が不使用の場合は邪魔になる。そのために、移動手段６が設けられている。図８に示すように移動手段６は１本のロッド状のものからなり、そのロッド１７の一端は水溶液供給装置１の支持軸１２に連結し、他端は穿孔装置１００の固定側に枢支される。以上の構造によりロッド１７を前記の固定側を中心として回動することにより、水溶液供給装置１をダイヤモンドコアビット２から離隔することができ、邪魔にならない位置に移動させることが容易に出来る。
【００２６】
本考案は以上の説明の内容からなるが、その説明の内容に限定するものではなく同一技術的範疇のものが適用されることは勿論である。
【産業上の利用可能性】
【００２７】
本考案は主にコンクリート構造物の穿孔に関するものであるが、コンクリートに限定するものではなくコンクリートに似ている硬質構造物にも適用可能であり、その利用範囲は広い。
【符号の説明】
【００２８】
１      水溶液供給装置
２      ダイヤモンドコアビット
２ａ    切削チップ
３      コンクリート構造物
４      案内柱
５      回転駆動体
６      移動手段
７      スポンジ
８      水溶液タンク
９      染み出し送り部材
９ａ    仕切板
９ｂ    フエルト
１０    箱体
１１    調整ボルト
１２    支持軸
１３    注水口
１４    水溶液
１５    Ｖ溝
１６    マグネット
１７    ロッド
１００  穿孔装置
【図１】
0003163951.tif 000003
【図２】
0003163951.tif 000004
【図３】
0003163951.tif 000005
【図４】
0003163951.tif 000006
【図５】
0003163951.tif 000007
【図６】
0003163951.tif 000008
【図７】
0003163951.tif 000009
【図８】
0003163951.tif 000010
【手続補正書】
【提出日】平成22年3月13日(2010.3.13)
【手続補正１】
【補正対象書類名】実用新案登録請求の範囲
【補正対象項目名】全文
【補正方法】変更
【補正の内容】
【実用新案登録請求の範囲】
【請求項１】
コンクリート構造物の穿孔用の装置であって、該装置は、ダイヤモンドコアビットのシャンクの外面に当接してこれを保持する通気性柔軟性保持部材と、該通気性柔軟性保持部材に隣接して配設される水溶液タンクと、該水溶液タンクと前記通気性柔軟性保持部材との間に介設され前記水溶液タンク内の水溶液を前記通気性柔軟性保持部材側に染み出し送りする染み出し送り部材とを有することを特徴とするコンクリート構造物穿孔用の水溶液供給装置。
【請求項２】
前記通気性柔軟性保持部材がスポンジからなり、該スポンジの前記コアシャンクと当接する部位にはＶ溝が形成され、該Ｖ溝の底部には前記コアシャンクが磁着するマグネットが収納されることを特徴とする請求項１に記載のコンクリート構造物穿孔用の水溶液供給装置。
【請求項３】
前記染み出し送り部材が、脱脂綿状のフエルトからなることを特徴とする請求項１に記載のコンクリート構造物穿孔用の水溶液供給装置。
【請求項４】
前記水溶液供給装置には、該装置をコアシャンクに当接する保持位置とこれから離脱する位置とに移動させる移動手段が設けられることを特徴とする請求項１に記載のコンクリート構造物穿孔用の水溶液供給装置。
【手続補正３】
【補正対象書類名】明細書
【補正対象項目名】０００６
【補正方法】変更
【補正の内容】
【０００６】  本考案は、以上の事情に鑑みて考案されたものであり、少量の水溶液をダイヤモンドコアビットの水冷却部の必要の部位に確実に供給でき、漏れ水等による事故を防止でき、ダイヤモンドコアビットの摩擦熱の上昇を抑えて効率的の穿孔が可能となるコンクリート構造物の穿孔に使用される水溶液供給装置を提供することを目的とする。
【手続補正４】
【補正対象書類名】明細書
【補正対象項目名】００１６
【補正方法】変更
【補正の内容】
【００１６】  以下、本考案のコンクリート構造物の穿孔に使用される水溶液供給装置の実施の形態を図面を参して詳述する。
【手続補正５】
【補正対象書類名】明細書
【補正対象項目名】００２４
【補正方法】変更
【補正の内容】
【００２４】  次に、本考案の水溶液供給装置によるコンクリート構造物の穿孔方法について説明する。図６及び図７に示すようにダイヤモンドコアビット２を位置決めした後、水溶液供給装置１のスポンジ７をダイヤモンドコアビット２に押し当てる。図６、図７に示すようにダイヤモンドコアビット２はスポンジ７のスポンジ７ａにより挟持されると共にマグネット１６がダイヤモンドコアビット２に磁着し、ダイヤモンドコアビット２の保持と水溶液供給装置１の位置決めが出来る。  次に、水溶液タンク８内に水溶液１４を入れることにより染み出し送り部材９のフエルト９ｂに水溶液が染み込み、ここから染み出した水溶液１４がスポンジ７内に送られ、スポンジ７の通気部を通って少量の水溶液１４がダイヤモンドコアビット２の外面に付着し、自重によって下方に送られる。下方に送られた水溶液１４はダイヤモンドコアビット２の切削チップ２ａ側に供給され穿孔部の熱の吸収を行う。水溶液１４の供給量が少量のため、切削部位においては適度の冷却剤として水溶液が作用し、摩擦熱の低減もでき、結果として良好な穿孔を行うことができる。
【手続補正書】
【提出日】平成22年6月7日(2010.6.7)
【手続補正１】
【補正対象書類名】実用新案登録請求の範囲
【補正対象項目名】全文
【補正方法】変更
【補正の内容】
【実用新案登録請求の範囲】
【請求項２】
前記通気性柔軟性保持部材がスポンジからなり、該スポンジの前記ダイヤモンドコアビットのシャンクと当接する部位にはＶ溝が形成され、該Ｖ溝の底部には前記ダイヤモンドコアビットのシャンクが磁着するマグネットが収納されることを特徴とする請求項１に記載のコンクリート構造物穿孔用の水溶液供給装置。
【請求項４】
前記水溶液供給装置には、該装置を前記ダイヤモンドコアビットのシャンクに当接する保持位置とこれから離脱する位置とに移動させる移動手段が設けられることを特徴とする請求項１に記載のコンクリート構造物穿孔用の水溶液供給装置。
【手続補正書】
【提出日】平成22年8月9日(2010.8.9)
【手続補正２】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
コンクリート構造物の穿孔用の装置であって、該装置は、ダイヤモンドコアビットのシャンクの外面に当接してこれを保持する通気性柔軟性保持部材と、該通気性柔軟性保持部材に隣接して配設される水溶液タンクと、該水溶液タンクと前記通気性柔軟性保持部材との間に介設され前記水溶液タンク内の水溶液を前記通気性柔軟性保持部材側に染み出し送りする染み出し送り部材とを有することを特徴とするコンクリート構造物穿孔用の水溶液供給装置。
【請求項２】
前記通気性柔軟性保持部材がスポンジからなり、該スポンジの前記ダイヤモンドコアビットのシャンクと当接する部位にはＶ溝が形成され、該Ｖ溝の底部には前記ダイヤモンドコアビットのシャンクが磁着するマグネットが収納されることを特徴とする請求項１に記載のコンクリート構造物穿孔用の水溶液供給装置。
【請求項３】
前記染み出し送り部材が、脱脂綿状のフェルトからなることを特徴とする請求項１に記載のコンクリート構造物穿孔用の水溶液供給装置。
【請求項４】
前記水溶液供給装置には、該装置を前記ダイヤモンドコアビットのシャンクに当接する保持位置とこれから離脱する位置とに移動させる移動手段が設けられることを特徴とする請求項１に記載のコンクリート構造物穿孔用の水溶液供給装置。